(57)【要約】【課題】特異な電飾演出効果を有する電飾ユニット及び遊技機を提供する。【解決手段】電飾ユニット１０Ａは、具収容体用ＬＥＤ１３と、具入れケース２４ｄ、及び具入れケース２４ｄの内部に封入され、かつ具収容体用ＬＥＤ１３からの光を反射する具２４ｂを有し、さらに回転軸Ｐを中心に回転する具収容体２４と、具収容体２４を、回転軸Ｐを中心に回転させるモータ１５及び連結従動ギヤ１４とを備えている。【選択図】図１
2018175243.tif 000002
【特許請求の範囲】
【請求項１】
遊技機に備えられる電飾ユニットにおいて、
光源と、
封入ケース、及び前記封入ケースの内部に封入され、かつ前記光源からの光を反射する光反射部材を有し、さらに回転軸を中心に回転する光反射部材封入部と、
前記光反射部材封入部を、前記回転軸を中心に回転させる回転駆動部とを備えていることを特徴とする電飾ユニット。
【請求項２】
前記光反射部材は、前記封入ケースの内部で移動可能に封入されていることを特徴とする請求項１に記載の電飾ユニット。
【請求項３】
前記光反射部材封入部の遊技者側には、内壁面を反射面で形成した断面多角形の筒状体が設けられていることを特徴とする請求項１又は２に記載の電飾ユニット。
【請求項４】
前記断面多角形の筒状体は、該断面多角形の各頂点と中心とを結びかつ遊技者側に延びる仕切り壁を備えていると共に、前記仕切り壁の表面は反射面で形成されていることを特徴とする請求項３に記載の電飾ユニット。
【請求項５】
前記筒状体の内壁面は、遊技者側に向かうに伴って開口部が大きく傾斜面を有していることを特徴とする請求項３又は４に記載の電飾ユニット。
【請求項６】
前記筒状体を回転させる筒状体回転駆動部を備えていることを特徴とする請求項３〜５のいずれか１項に記載の電飾ユニット。
【請求項７】
前記筒状体回転駆動部は、前記光反射部材封入部の回転に伴って前記筒状体を前記光反射部材封入部の回転方向とは反対側に回転させることを特徴とする請求項６に記載の電飾ユニット。
【請求項８】
前記筒状体回転駆動部は、前記光反射部材封入部の回転に伴って回転する遊星ギヤと、前記遊星ギヤに歯合されかつ前記筒状体に一体に形成された内歯ギヤとを備えていると共に、
前記内歯ギヤには、前記断面多角形の筒状体の初期位置を検出するためのスリットが形成されていることを特徴とする請求項６又は７に記載の電飾ユニット。
【請求項９】
前記光反射部材封入部の封入ケースには、前記光反射部材封入部の回転軸を水平にした状態で該光反射部材封入部を回転軸の回りに回転させた場合に、前記光反射部材を上側に持ち上げ、かつ上側で該光反射部材を落下させる仕切り部材が設けられていることを特徴とする請求項１〜８のいずれか１項に記載の電飾ユニット。
【請求項１０】
前記光反射部材封入部の封入ケースには、色彩及び模様の少なくとも一方を付したデザインシートが設けられていることを特徴とする請求項１〜９のいずれか１項に記載の電飾ユニット。
【請求項１１】
前記光反射部材封入部の遊技者側には、半球面状の導光部材が設けられていると共に、前記導光部材の端部には、導光部材照射用光源が設けられており、
前記導光部材照射用光源から出射された光は、前記導光部材の端部に入射され、かつ該導光部材の内部を導光されて前記半球面状の出射面から遊技者側に出射されることを特徴とする請求項１〜１０のいずれか１項に記載の電飾ユニット。
【請求項１２】
前記導光部材照射用光源は、前記半球面状の導光部材における半球面を正面にして見た場合における、該導光部材の左右の端部と該導光部材の上下の端部に設けられていると共に、
前記導光部材における半球面には、前記左右の端部に設けられた導光部材照射用光源から入射された光を導光して出射面に出射させる左右光源用光路変更部と、前記上下の端部に設けられた導光部材照射用光源から入射された光を導光して出射面に出射させる上下光源用光路変更部とが形成されていることを特徴とする請求項１１に記載の電飾ユニット。
【請求項１３】
前記断面多角形の筒状体の周囲には、カット付レンズが設けられていることを特徴とする請求項３〜８のいずれか１項に記載の電飾ユニット。
【請求項１４】
請求項１〜１３のいずれか１項に記載の電飾ユニットを備えていることを特徴とする遊技機。
【発明の詳細な説明】
【技術分野】
【０００１】
本発明は、例えばパチンコ機やスロットマシン等の遊技機に使用される電飾ユニット及びそれを備えた遊技機に関するものである。
【背景技術】
【０００２】
従来、パチンコ機やスロットマシン等の遊技機には、遊技機の演出動作に遊技者が参加できるようにするための押しボタン型の操作スイッチが設けられている。
【０００３】
例えば、特許文献１に開示された遊技機用ボタン装置では、遊技機の演出の一部として、ボタン操作部材を発光させる技術が提案されている。
【先行技術文献】
【特許文献】
【０００４】
【特許文献１】特開２０１２−４５３３８号公報（２０１２年３月８日公開）
【発明の概要】
【発明が解決しようとする課題】
【０００５】
しかしながら、前記従来の遊技機用ボタン装置では、遊技中にボタン操作部材が発光したとしても、大当たり確定というわけではない。そのため、遊技者はボタン操作部材の発光演出への関心が薄れ、飽きてしまい、遊技性が下がってしまうという問題点を有している。
【０００６】
本発明は、前記従来の問題点に鑑みなされたものであって、その目的は、特異な電飾演出効果を有する電飾ユニット及び遊技機を提供することにある。
【課題を解決するための手段】
【０００７】
本発明の一態様における電飾ユニットは、前記課題を解決するために、遊技機に備えられる電飾ユニットにおいて、光源と、封入ケース、及び前記封入ケースの内部に封入され、かつ前記光源からの光を反射する光反射部材を有し、さらに回転軸を中心に回転する光反射部材封入部と、前記光反射部材封入部を、前記回転軸を中心に回転させる回転駆動部とを備えていることを特徴としている。
【０００８】
前記構成によれば、回転駆動部によって、光反射部材封入部が回転軸を中心に回転する。ここで、光反射部材封入部は、封入ケース、及び封入ケースの内部に封入され、かつ光源からの光を反射する光反射部材を有している。さらに、光反射部材封入部は、回転軸を中心に回転する。このため、光反射部材は、回転する光反射部材封入部の封入ケースの内部で、光源からの光を反射する。この結果、遊技者は、回転しながら光る光反射部材を観察することができる。このような回転しながら光る光反射部材を観察することは、この種の電飾においてはあまり見られない光景である。すなわち、本発明の一態様における電飾ユニットでは、光反射部材が回転することにより、反射光の反射方向が変化し、きらきらと光った状態となる。
【０００９】
したがって、特異な電飾演出効果を有する電飾ユニットを提供することができる。
【００１０】
尚、本構成の電飾ユニットでは、後述する筒状体がなくても、光反射部材封入部の回転に伴う光反射部材の反射による電飾演出効果が得られるものとなっている。
【００１１】
本発明の一態様における電飾ユニットでは、前記光反射部材は、前記封入ケースの内部で移動可能に封入されていることが好ましい。
【００１２】
これにより、光反射部材封入部の回転に伴って、光反射部材が封入ケースの内部で移動する。そして、光反射部材の移動に際して、光反射部材は光源からの光を反射する。この結果、遊技者は、移動しながら光る光反射部材を観察することができる。このような移動しながら光る光反射部材を観察することは、この種の電飾においてはあまり見られない光景である。すなわち、本発明の一態様における電飾ユニットでは、例えば、雪や花びらが落ちてくるような光景を目にすることができる。
【００１３】
したがって、さらに特異な電飾演出効果を有する電飾ユニットを提供することができる。
【００１４】
尚、本構成の電飾ユニットでは、後述する筒状体がなくても、光反射部材封入部の回転に伴う光反射部材の移動による電飾演出効果が得られるものとなっている。
【００１５】
本発明の一態様における電飾ユニットは、前記光反射部材封入部の遊技者側には、内壁面を反射面で形成した断面多角形の筒状体が設けられていることが好ましい。
【００１６】
これにより、光反射部材封入部の回転により封入ケースの内部で移動する光反射部材が、断面多角形の筒状体における反射面からなる内壁面に鏡像として写し出される。この結果、遊技者は、万華鏡を覗いているような光景を目にすることができる。したがって、さらに特異な電飾演出効果を有する電飾ユニットを提供することができる。
【００１７】
本発明の一態様における電飾ユニットでは、前記断面多角形の筒状体は、該断面多角形の各頂点と中心とを結びかつ遊技者側に延びる仕切り壁を備えていると共に、前記仕切り壁の表面は反射面で形成されていることが好ましい。
【００１８】
これにより、鏡面数が増加するので、多重の万華鏡によるさらに複雑な演出を行うことができる。
【００１９】
本発明の一態様における電飾ユニットは、前記筒状体の内壁面は、遊技者側に向かうに伴って開口部が大きくなる傾斜面を有していることが好ましい。
【００２０】
例えば、一般の万華鏡では、目を筒状体に近づけて筒状体を覗きこむことにより、内壁面の視野が全体に広がる。しかし、本構成の電飾ユニットでは、遊技者は筒状体の内部を遠くから見ることになるので、遊技者の視野の一部にしか万華鏡の表示を見ることができない。このため、万華鏡の演出効果が小さい。
【００２１】
これに対して、本構成の前記筒状体の内壁面は、遊技者側に向かに伴って開口部が大きくなる傾斜面を有している。この結果、実際の奥行きが浅くても、透視図を見るように人間の目には遠近感が出る。したがって、電飾ユニットを遠くから見ても、遊技者は万華鏡の演出効果を楽しむことができる。
【００２２】
本発明の一態様における電飾ユニットは、前記筒状体を回転させる筒状体回転駆動部を備えていることが好ましい。
【００２３】
これにより、筒状体が回転するので、断面多角形の筒状体における反射面からなる内壁面に写し出される光反射部材の移動による鏡像も変化する。したがって、さらに特異な電飾演出効果を有する電飾ユニットを提供することができる。尚、この場合の筒状体の回転方向と前記光反射部材封入部の回転方向とは、同じ方向又は異なる方向のいずれであってもよい。
【００２４】
本発明の一態様における電飾ユニットでは、前記筒状体回転駆動部は、前記光反射部材封入部の回転に伴って前記筒状体を前記光反射部材封入部の回転方向とは反対側に回転させることが好ましい。
【００２５】
これにより、光反射部材封入部の回転方向と筒状体との回転方向が互いに正反対となる。したがって、さらに特異な電飾演出効果を有する電飾ユニットを提供することができる。
【００２６】
本発明の一態様における電飾ユニットでは、前記筒状体回転駆動部は、前記光反射部材封入部の回転に伴って回転する遊星ギヤと、前記遊星ギヤに歯合されかつ前記筒状体に一体に形成された内歯ギヤとを備えていると共に、前記内歯ギヤには、前記断面多角形の筒状体の初期位置を検出するためのスリットが形成されていることが好ましい。
【００２７】
これにより、光反射部材封入部の回転に伴って遊星ギヤが回転し、遊星ギヤの回転に伴って、遊星ギヤに歯合された内歯ギヤが回転する。そして、内歯ギヤは筒状体と一体となっているので、筒状体が回転する。この結果、筒状体回転駆動部の具体的な構成を提供することができる。
【００２８】
また、本発明の一態様における電飾ユニットでは、前記内歯ギヤには、前記断面多角形の筒状体の初期位置を検出するためのスリットが形成されている。このため、スリットによって、前記断面多角形の筒状体の初期位置を検出することができる。この結果、例えば、毎回、筒状体を初期位置から回転開始させ、初期位置にて回転停止させることが可能となる。
【００２９】
本発明の一態様における電飾ユニットでは、前記光反射部材封入部の封入ケースには、前記光反射部材封入部の回転軸を水平にした状態で該光反射部材封入部を回転軸の回りに回転させた場合に、前記光反射部材を上側に持ち上げ、かつ上側で該光反射部材を落下させる仕切り部材が設けられていることが好ましい。
【００３０】
これにより、光反射部材封入部の回転によって、封入ケースに封入された光反射部材は、仕切り部材によって上側に持ち上げられ、上側で落下させられる。このため、光反射部材封入部の回転によって、光反射部材が強制的に落下移動する。したがって、遊技者は、絶えず動きながら光る光反射部材を観察することができる。
【００３１】
本発明の一態様における電飾ユニットは、前記光反射部材封入部の封入ケースには、色彩及び模様の少なくとも一方を付したデザインシートが設けられていることが好ましい。
【００３２】
これにより、デザインシートの色彩及び模様が反射部材に反射されるので、遊技者は、移動する光反射部材にて反射されるデザインシートの色彩及び模様を目にすることができる。したがって、さらに特異な電飾演出効果を有する電飾ユニットを提供することができる。
【００３３】
本発明の一態様における電飾ユニットは、前記光反射部材封入部の遊技者側には、半球面状の導光部材が設けられていると共に、前記導光部材の端部には、導光部材照射用光源が設けられており、前記導光部材照射用光源から出射された光は、前記導光部材の端部に入射され、かつ該導光部材の内部を導光されて前記半球面状の出射面から遊技者側に出射されることが好ましい。
【００３４】
これにより、導光部材照射用光源から出射された光は、導光部材の端部に入射され、かつ導光部材の内部を導光されて半球面状の出射面から遊技者側に出射される。
【００３５】
この結果、導光部材を用いた演出を行うことができる。したがって、さらに特異な電飾演出効果を有する電飾ユニットを提供することができる。
【００３６】
本発明の一態様における電飾ユニットでは、導光部材照射用光源は、前記半球面状の導光部材における半球面を正面にして見た場合における、該導光部材の左右の端部と該導光部材の上下の端部に設けられていると共に、前記導光部材における半球面には、前記左右の端部に設けられた導光部材照射用光源から入射された光を導光して出射面に出射させる左右光源用光路変更部と、前記上下の端部に設けられた導光部材照射用光源から入射された光を導光して出射面に出射させる上下光源用光路変更部とが形成されていることが好ましい。
【００３７】
これにより、左右の端部に設けられた導光部材照射用光源を点灯すると、その光は導光部材において全反射によって導光され、左右光源用光路変更部にて全反射条件が破れて半球面の出射面から遊技者側に出射される。一方、上下の端部に設けられた導光部材照射用光源を点灯すると、その光は導光部材において全反射によって導光され、上下光源用光路変更部にて全反射条件が破れて半球面の出射面から遊技者側に出射される。
【００３８】
この結果、本発明の一態様における電飾ユニットでは、左右光源用光路変更部と上下光源用光路変更部とを互いに異ならせることによって、別の表示を行うことができる。また、左右の端部に設けられた導光部材照射用光源と上下の端部に設けられた導光部材照射用光源とを同時に点灯することによって、左右光源用光路変更部と上下光源用光路変更部との両方の表示を同時に行うことができる。
【００３９】
したがって、さらに特異な電飾演出効果を有する電飾ユニットを提供することができる。
【００４０】
本発明の一態様における電飾ユニットは、前記断面多角形の筒状体の周囲には、カット付レンズが設けられていることが好ましい。
【００４１】
これにより、光源は反射部材を照らしているので、その光が、カット付レンズを通して遊技者側に照射される。カット付レンズは、例えば、ダイヤモンドのカットのように、種々の方向へ光を散乱させる。したがって、さらに特異な電飾演出効果を有する電飾ユニットを提供することができる。
【００４２】
本発明の一態様における遊技機は、前記電飾ユニットを備えていることを特徴としている。
【００４３】
前記構成によれば、特異な電飾演出効果を有する電飾ユニットを備えた遊技機を提供することができる。
【発明の効果】
【００４４】
本発明の一態様によれば、特異な電飾演出効果を有する電飾ユニット及び遊技機を提供するという効果を奏する。
【図面の簡単な説明】
【００４５】
【図１】（ａ）は本発明における実施形態１の電飾ユニットを示すものであって、電飾ユニットの左側半分の断面を示す斜視断面図であり、（ｂ）は電飾ユニットの下側半分の断面を示す斜視断面図である。
【図２】（ａ）は前記電飾ユニットを備えた遊技機の全体構成を示す正面図であり、（ｂ）は前記電飾ユニットを備えた遊技機の全体構成を示す側面図である。
【図３】（ａ）は電飾ユニットを前側から見たときの該電飾ユニットの外観構成を示す斜視図であり、（ｂ）は前記電飾ユニットを後側から見たときの該電飾ユニットの外観構成を示す斜視図である。
【図４】（ａ）は電飾ユニットを前側から見たときの電飾ユニットの構成を示す分解斜視図であり、（ｂ）は前記電飾ユニットを後側から見たときの該電飾ユニットの構成を示す分解斜視図である。
【図５】（ａ）は前記電飾ユニットの内部組立体を前側から見たときの該内部組立体の構成を示す分解斜視図であり、（ｂ）は前記内部組立体を後側から見たときの該内部組立体の構成を示す分解斜視図である。
【図６】（ａ）は前記電飾ユニットのリフレクタ取付体を前側から見たときの該リフレクタ取付体の構成を示す分解斜視図であり、（ｂ）は前記リフレクタ取付体を後側から見たときの該リフレクタ取付体の構成を示す分解斜視図である。
【図７】（ａ）は前記電飾ユニットのリフレクタの構成を示す正面図であり、（ｂ）は前記リフレクタの構成を示す（ａ）のＡ−Ａ線矢視断面図であり、（ｃ）は前記リフレクタの構成を示す（ａ）のＢ−Ｂ線矢視断面図である。
【図８】（ａ）は前記電飾ユニットの具収容体を前側から見たときの該具収容体の構成を示す分解斜視図であり、（ｂ）は前記具収容体を後側から見たときの該具収容体の構成を示す分解斜視図である。
【図９】前記電飾ユニットの回転駆動部材の詳細構造を示す斜視図である。
【図１０】前記電飾ユニットのモータ駆動ギヤ、連結従動ギヤ及び太陽ギヤの歯合状態を示す斜視図である。
【図１１】（ａ）は前記電飾ユニットのリフレクタ取付体、具収容体、回転駆動部材及び連結従動ギヤの関係を示す分解斜視図であり、（ｂ）はリフレクタ取付体を後側から見たときの斜視図である。
【図１２】（ａ）は前記電飾ユニットのカット付レンズ及びリフレクタを除いて示すリフレクタ取付体、具収容体、回転駆動部材の構成を示す正面図であり、（ｂ）は電飾ユニットの構成を示す正面図である。
【図１３】（ａ）は前記電飾ユニットの具収容体の構成を示す正面図であり、（ｂ）は前記具収容体の変形例の構成を示す正面図である。
【図１４】（ａ）は前記電飾ユニットの内部組立体の構成を示す正面図であり、（ｂ）は前記内部組立体の構成を示す断面図である。
【図１５】（ａ）は本発明における実施形態２の電飾ユニットを示すものであって、前記電飾ユニットの構成を示す正面図であり、（ｂ）は前記電飾ユニットの構成を示す断面図である。
【図１６】（ａ）は前記電飾ユニットにおける導光部材の左右の端部に設けられた導光部材照射用光源を点灯することによって表示される導光部材の表示状態を示す正面図であり、（ｂ）は前記電飾ユニットにおける導光部材の上下の端部に設けられた導光部材照射用光源を点灯することによって表示される導光部材の表示状態を示す正面図であり、（ｃ）は前記電飾ユニットにおける導光部材の左右の端部に設けられた導光部材照射用光源と、導光部材の上下の端部に設けられた導光部材照射用光源とを同時に点灯することによって表示される導光部材の表示状態を示す正面図である。
【発明を実施するための形態】
【００４６】
〔実施の形態１〕
本発明の一実施形態について図１〜図１５に基づいて説明すれば、以下のとおりである。
【００４７】
本実施の形態の電飾ユニットは、例えばパチンコ機やスロットマシン等の遊技機に使用される電飾ユニットである。ただし、必ずしもこれに限らず、他の各種ゲーム機等の遊技機に適用することも可能である。
【００４８】
図２の（ａ）は、本実施の形態における電飾ユニット１０Ａを備えた遊技機としてのスロットマシン１の全体構成を示す正面図である。図２の（ｂ）は、前記スロットマシン１の全体構成を示す側面図である。
【００４９】
本実施の形態の電飾ユニット１０Ａを備えた遊技機の構成について、図２に基づいて説明する。
【００５０】
図２の（ａ）（ｂ）に示すように、遊技機としてのスロットマシン１は、リール表示領域２、スタートレバー３、ストップボタン４及びメダル放出口５等を備えている。そして、本実施の形態では、電飾ユニット１０Ａを例えばリール表示領域２の横に備えている。
【００５１】
前記構成のスロットマシン１では、スタートレバー３を引くと、リール表示領域２の各リールが回転する。その後、３個のストップボタン４を順次押すと、リール表示領域２の各リールが回転停止する。その回転停止時のリール表示領域２の数字の表示状態によって、メダルがメダル放出口５から放出されるようになっている。また、本実施の形態では、電飾ユニット１０Ａがスロットマシン１に備えられていることにより、電飾ユニット１０Ａ自体の電光飾によって、万華鏡のような演出を行うようになっている。
【００５２】
尚、本実施の形態の電飾ユニット１０Ａは、スロットマシン１において、導光レンズ２１が正面つまり前側を向くように取り付けられている。ただし、本発明の一態様においては、必ずしもこれに限らず、導光レンズ２１が上側に向いていてもよい。
【００５３】
図１の（ａ）は、電飾ユニット１０Ａの左側半分の断面を示す斜視断面図である。図１の（ｂ）は、電飾ユニット１０Ａの下側半分の断面を示す斜視断面図である。
【００５４】
スロットマシン１に備えられた電飾ユニット１０Ａの構成について、図１の（ａ）（ｂ）に基づいて説明する。
【００５５】
図１の（ａ）（ｂ）に示すように、本実施の形態の電飾ユニット１０Ａは、筐体である本体ケース部１１と、本体ケース部１１の内部を照らす光源としての具収容体用ＬＥＤ１３と、光反射部材封入部としての具収容体２４と、回転駆動部としてのモータ１５、モータ駆動ギヤ１５ａ及び連結従動ギヤ１４とを備えている。
【００５６】
具収容体２４は、室内に移動可能に封入された後述する光反射部材としての具２４ｂを有し、かつ回転軸Ｐを中心に回転する。また、回転駆動部としてのモータ１５、モータ駆動ギヤ１５ａ及び連結従動ギヤ１４は、具収容体２４を、回転軸Ｐを中心に回転させるようになっている。
【００５７】
この構成により、例えば、具収容体用ＬＥＤ１３の点灯と共に、回転駆動部としてのモータ１５、モータ駆動ギヤ１５ａ及び連結従動ギヤ１４が回転し、具収容体２４が回転軸Ｐの回りに回転させることができる。これにより、具収容体２４には、具２４ｂが移動可能に封入されているので、具収容体用ＬＥＤ１３からの光が、移動する具２４ｂに反射されてきらきらと光る。その結果、遊技者は正面から見ると、その内部で具２４ｂが反射されてきらきらと光っているので、電飾ユニット１０Ａの電飾機能が発揮される。尚、電飾ユニット１０Ａの動作は、スロットマシン１の動作と連動して、又はスロットマシン１の動作に関わりなく、具収容体用ＬＥＤ１３の点灯、後述するカット付レンズ用ＬＥＤ２７の点灯、後述する導光レンズ用ＬＥＤ１６の点灯、並びに具収容体２４の回転、及び後述するリフレクタ取付体２３の回転等、各種の組み合わせで行われる。この制御は、図示しない制御部によって行われる。
【００５８】
したがって、本実施の形態では、特異な演出効果を有する電飾ユニット１０Ａ及びそれを備えたスロットマシン１を提供することができる。
【００５９】
前記機能を有する電飾ユニット１０Ａの詳細構造について、図３の（ａ）（ｂ）〜図１４の（ａ）（ｂ）に基づいて説明する。図３の（ａ）は、電飾ユニット１０Ａを前側から見たときの電飾ユニット１０Ａの外観構成を示す斜視図である。図３の（ｂ）は、電飾ユニット１０Ａを後側から見たときの電飾ユニット１０Ａの外観構成を示す斜視図である。図４の（ａ）は、電飾ユニットを前側から見たときの電飾ユニット１０Ａの構成を示す分解斜視図である。図４の（ｂ）は、電飾ユニット１０Ａを後側から見たときの電飾ユニット１０Ａの構成を示す分解斜視図である。
【００６０】
まず、電飾ユニット１０Ａの外観構成について、図３の（ａ）（ｂ）及び図４の（ａ）（ｂ）に基づいて説明する。
【００６１】
図３の（ａ）（ｂ）に示すように、本実施の形態の電飾ユニット１０Ａは、前側に有頭円筒形の透明部材からなる導光レンズ２１を有する内部組立体２０を有していると共に、後側に該内部組立体２０を保持するための有底円筒形の本体ケース部１１を有している。尚、本実施の形態の電飾ユニット１０Ａでは、本体ケース部１１に対して内部組立体２０側を前側として説明する。
【００６２】
図４の（ａ）に示すように、本体ケース部１１の本体ケース部底１１ａには、例えば３本のビス１１ｂが貫通可能になっている。一方、図４の（ｂ）に示すように、内部組立体２０に設けられた回路基板２６の後側には、３個のビス止部２６ｃが設けられている。この結果、内部組立体２０と本体ケース部１１とは、ビス１１ｂ及びビス止部２６ｃによって、固定されるものとなっている。
【００６３】
本体ケース部底１１ａにおける中心からずれた位置には、モータ駆動ギヤ挿入孔１１ｄが形成されており、このモータ駆動ギヤ挿入孔１１ｄに本体ケース部底１１ａの後側からモータ駆動ギヤ１５ａ及びモータシャフトが挿入される。一方、内部組立体２０の回路基板２６における後側の中心には、図４の（ｂ）に示すように、連結従動ギヤ１４が軸支されている。その結果、後述する図１０にも示すように、モータ１５のモータ駆動ギヤ１５ａが連結従動ギヤ１４に歯合するようになっている。
【００６４】
図５の（ａ）は、内部組立体２０を前側から見たときの内部組立体２０の構成を示す分解斜視図である。図５の（ｂ）は、内部組立体２０を後側から見たときの内部組立体２０の構成を示す分解斜視図である。
【００６５】
次に、前記内部組立体２０の構成について、図５の（ａ）（ｂ）に基づいて説明する。図５の（ａ）（ｂ）に示すように、内部組立体２０は、前側から順に、導光レンズ２１と、ストッパー２２と、リフレクタ取付体２３と、具収容体２４と、回転駆動部材２５と、回路基板２６とを備えている。
【００６６】
内部組立体２０は、後側に回路基板２６を備えている。この回路基板２６は、前側の表面における左右及び上下に例えば複数の導光レンズ用ＬＥＤ１６を有していると共に、中間部に複数のカット付レンズ用ＬＥＤ２７を有し、さらに中心部に複数の具収容体用ＬＥＤ１３を有している。具収容体用ＬＥＤ１３、カット付レンズ用ＬＥＤ２７及び導光レンズ用ＬＥＤ１６は、本実施の形態では、種々のフルカラーの発光色を出射できるようになっている。
【００６７】
導光レンズ２１は、透明の半球面からなっており、縁端面から導光レンズ用ＬＥＤ１６の光が入射されるようになっている。また、導光レンズ２１の光出射面の裏面には、所定のプリズム群が形成されている。これにより、本実施の形態では、導光レンズ２１の上下方向に存在する導光レンズ用ＬＥＤ１６ｂから出射された光が導光レンズ２１の縁端部から入射され、所定のプリズムカットにて所定の模様の光が導光レンズ２１の前側から出射される。一方、導光レンズ２１の左右方向に存在する導光レンズ用ＬＥＤ１６ａから出射された光が導光レンズ２１の縁端部から入射され、プリズム群の他の所定のプリズムカットにて他の所定の模様の光が導光レンズ２１の前側から出射されるようになっている。尚、導光レンズ２１については後述する実施の形態２にて詳述する。
【００６８】
ストッパー２２は、リフレクタ取付体２３及び具収容体２４を回転駆動部材２５に格納した状態で固定するものである。
【００６９】
図６の（ａ）は、リフレクタ取付体２３を前側から見たときのリフレクタ取付体２３の構成を示す分解斜視図である。図６の（ｂ）は、リフレクタ取付体２３を後側から見たときの該リフレクタ取付体２３の構成を示す分解斜視図である。図７の（ａ）は、電飾ユニット１０Ａのリフレクタ２３ａの構成を示す正面図である。図７の（ｂ）は、リフレクタ２３ａの構成を示す図７の（ａ）のＡ−Ａ線矢視断面図である。図７の（ｃ）は、リフレクタ２３ａの構成を示す図８の（ａ）のＢ−Ｂ線矢視断面図である。
【００７０】
次に、図５の（ａ）（ｂ）に示すリフレクタ取付体２３の構成について、図６の（ａ）（ｂ）及び図７の（ａ）（ｂ）（ｃ）に基づいて詳述する。
【００７１】
図６の（ａ）（ｂ）に示すように、リフレクタ取付体２３は、筒状体としてのリフレクタ２３ａと、カット付レンズ２３ｂと、内歯ギヤ２３ｃとを備えている。
【００７２】
リフレクタ２３ａは、外形が例えば断面形状六角筒からなっていると共に、断面形状六角筒の内部に三角筒の立体形状を６個集めたハニカム形状をしている。各三角筒は、内壁が反射面つまり鏡面となっている。したがって、リフレクタ２３ａは、断面形状六角筒の内壁面２３ａ１と、断面形状六角筒の該断面六角形の各頂点と中心とを結びかつ遊技者側に延びる仕切り壁２３ａ２を備えた状態となっている。そして、内壁面２３ａ１及び仕切り壁２３ａ２の表面は反射面で形成されている。このため、後述する具収容体２４の具２４ｂが移動したときに、具２４ｂの反射像がリフレクタ２３ａによって反射されて見える。この結果、リフレクタ２３ａは、所謂万華鏡としての機能を有している。尚、万華鏡は一般的に断面形状三角形の三角筒からなっている。これに対して、本実施の形態のリフレクタ２３ａは断面形状を六角形とすることにより、三角筒よりもさらに複雑な多重模様を写し出すようになっている。特に、本実施の形態では、断面形状六角筒の内部に、三角筒の立体形状を６個集積している。その結果、鏡面数が増加しているので、多重の万華鏡によるさらに複雑な演出を行うことができるものとなっている。
【００７３】
ここで、本実施の形態におけるリフレクタ２３ａの内壁面２３ａ１及び仕切り壁２３ａ２は、図７の（ａ）（ｂ）（ｃ）に示すように、遊技者側に向かうに伴って開口部が大きくなる傾斜面を有している。
【００７４】
例えば、一般の万華鏡では、目を筒状体に近づけて筒状体を覗きこむことにより、奥深い直線壁からなる筒状体の内壁面の視野が全体に広がる。しかし、本構成の電飾ユニット１０Ａでは、リフレクタ２３ａの奥行を大きくとることができず、遊技者はリフレクタ２３ａの内部を遠くから見ることになる。このため、遊技者の視野の一部にしか万華鏡の表示を見ることができないので、万華鏡の演出効果が小さい。
【００７５】
これに対して、本構成のリフレクタ２３ａの内壁面２３ａ１及び仕切り壁２３ａ２は、遊技者側に向かうに伴って開口部が大きくなる傾斜面を有している。この結果、実際の奥行きが浅くても、透視図を見るように、人間の目には遠近感が出る。したがって、電飾ユニット１０Ａを遠くから見ても、遊技者は万華鏡の演出効果を楽しむことができる。また、一般の万華鏡では、三角筒の鏡面を有しているが、本実施の形態では、前述したように、六角筒の鏡面を有している。これによっても、リフレクタ２３ａの奥行きが浅くても、反射面を多くすることにより万華鏡の演出効果を高めるようになっている。
【００７６】
図６の（ａ）（ｂ）に示すカット付レンズ２３ｂは、外部形状が六角形のリフレクタ２３ａを支持する支持枠として機能する支持壁を中心部に有する凸レンズからなっている。支持壁はリフレクタ２３ａを嵌合するようになっている。カット付レンズ２３ｂにおける支持壁の外側のレンズ表面には、多数のカット形状が形成されている。この結果、カット付レンズ用ＬＥＤ２７の光が後側からこのカット付レンズ２３ｂの多数のカット形状を透過すると、表面の多数のカット形状によって、様々な方向に出射される。このため、カット付レンズ２３ｂは、きらきらと光った状態を演出することができるものとなっている。
【００７７】
図６の（ａ）（ｂ）に示す内歯ギヤ２３ｃは、リング状部材からなっており、リフレクタ２３ａを嵌合したカット付レンズ２３ｂを支持固定するものとなっている。内歯ギヤ２３ｃにおけるリング状部材の内周には内歯ギヤが形成されている。このため、内歯ギヤ２３ｃは、後述する太陽ギヤ２４ｅ及び遊星ギヤ２５ｃによって回転し、その結果、リフレクタ取付体２３が中心軸の回りに回転することになる。
【００７８】
図８の（ａ）は、具収容体２４を前側から見たときの具収容体２４の構成を示す分解斜視図である。図８の（ｂ）は、具収容体２４を後側から見たときの具収容体２４の構成を示す分解斜視図である。
【００７９】
次に、図５の（ａ）（ｂ）に示す具収容体２４について、図８の（ａ）（ｂ）に基づいて説明する。具収容体２４は、具入れケース２４ｄ内に移動可能に封入された反射部材としての具２４ｂを有し、回転軸Ｐを中心に回転するものである。
【００８０】
図８の（ａ）（ｂ）に示すように、具収容体２４は、ケース蓋２４ａと、具２４ｂと、デザインシート２４ｃと、封入ケースとしての具入れケース２４ｄと、太陽ギヤ２４ｅとを有している。
【００８１】
ケース蓋２４ａは、透明板からなっており、具入れケース２４ｄに収容された具２４ｂが外部に漏れないように蓋をするものとなっている。
【００８２】
具２４ｂは、本実施の形態では、例えば、複数の着色又は透明のビーズからなっている。この複数のビーズからなる具２４ｂが具収容体用ＬＥＤ１３に照射された状態で、具収容体２４が回転移動することによって、具２４ｂが具入れケース２４ｄ内で移動する。本実施の形態の電飾ユニット１０Ａでは、これによって、万華鏡の演出を楽しむことができるようになっている。尚、本実施の形態では、具２４ｂは、例えば、複数の着色又は透明のビーズからなっており、転がり易くかつ光反射させるものを使用している。しかし、必ずしもこれに限らす、一般の万華鏡のように、具２４ｂは、複数の着色の短冊等からなっていてもよい。
【００８３】
本実施の形態では、デザインシート２４ｃが、後述するように例えば千代紙からなっており、紋や柄の豊かな和紙からなっている。このため、デザインシート２４ｃの紋や柄が豊富であるので、その表面を移動する複数のビーズからなる具２４ｂは、無色透明であることが好ましい。これにより、千代紙の紋や柄が、複数のビーズによって屈折されるので、千代紙の紋や柄に基づく複雑な模様が万華鏡の像として、表示されることになる。したがって、具２４ｂの色は、デザインシート２４ｃの種類によって変えることが好ましい。例えば、デザインシート２４ｃを白色や他の単色にする場合には、ビーズを着色して、ビーズの像を万華鏡の像として表示することが好ましい。
【００８４】
デザインシート２４ｃは、前述したように、例えば千代紙等の紋や柄の豊かな和紙からなっている。千代紙等の和紙は、十分に光透過性を有している。また、デザインシート２４ｃは、容易に取り替えることができる。これにより、千代紙の紋や柄に基づく複雑な種々の模様が万華鏡の像として、表示されることになる。尚、デザインシート２４ｃは、必ずしも千代紙等の紋や柄の豊かな和紙からなっている必要はない。例えば、紋や柄の豊かな模様が付されている必要はなく、白色、又はその他の単色でもよい。また、和紙からなっている必要もない。
【００８５】
また、デザインシート２４ｃは、円筒形状の具入れケース２４ｄに形成された仕切り部材としての具持ち上げ仕切り２４ｄ１の形状に合致したシート溝２４ｃ１を外周部に有している。これにより、デザインシート２４ｃを具入れケース２４ｄのケース奥に敷くことが可能となっている。
【００８６】
具入れケース２４ｄは、有底円筒形状の光透過性を有するケースからなっている。これにより、具入れケース２４ｄの後側から具収容体用ＬＥＤ１３を照射したときに、デザインシート２４ｃの模様等を明るく表示させることができる、また、デザインシート２４ｃ及び具２４ｂをこの具入れケース２４ｄの内部に収納してケース蓋２４ａにて施蓋することにより、具２４ｂを具入れケース２４ｄの内部に移動可能に封入している。具入れケース２４ｄの有底部の後側つまり裏側には、図８の（ｂ）に示すように、中心にギヤ軸２４ｄ２が設けられており、このギヤ軸２４ｄ２には、前述した連結従動ギヤ１４が取り付け固定されるようになっている。
【００８７】
太陽ギヤ２４ｅは、外周にギヤ部を有するリング状部材からなっている。太陽ギヤ２４ｅは、具入れケース２４ｄを内部に嵌合して一体に取り付けるようになっている。これによって、モータ１５のモータ駆動ギヤ１５ａが回転することによって、連結従動ギヤ１４が回転し、このとき連結従動ギヤ１４に一体に取り付け固定された具収容体２４が一体に回転するようになっている。
【００８８】
次に、図５の（ａ）（ｂ）に示す回転駆動部材２５の詳細構造について、図９に基づいて説明する。図９は、回転駆動部材２５の詳細構造を示す斜視図である。
【００８９】
図９に示すように、回転駆動部材２５は、有底円筒部２５ａと、有底円筒部２５ａの外周部に立設された３個の遊星ギヤシャフト２５ｂと、遊星ギヤシャフト２５ｂに回転可能に遊嵌された遊星ギヤ２５ｃとを備えている。
【００９０】
遊星ギヤシャフト２５ｂは、有底円筒部２５ａの中心から一定の半径の位置において、中心角がそれぞれ１２０度になるように設けられている。
【００９１】
遊星ギヤ２５ｃは、遊星ギヤシャフト２５ｂに遊嵌されることにより、有底円筒部２５ａの中心側では前記太陽ギヤ２４ｅに歯合すると共に、有底円筒部２５ａの外周側では前記内歯ギヤ２３ｃに歯合する。これによって、モータ１５及びモータ駆動ギヤ１５ａが回転することによって、連結従動ギヤ１４が回転し、このとき連結従動ギヤ１４に一体に取り付け固定された具収容体２４が一体に回転する。また、具収容体２４が回転することによって、太陽ギヤ２４ｅが回転する。さらに、太陽ギヤ２４ｅに歯合する遊星ギヤ２５ｃが内歯ギヤ２３ｃに歯合するので、内歯ギヤ２３ｃを一体に備えたリフレクタ取付体２３が回転することになる。
【００９２】
図１０は、モータ駆動ギヤ１５ａ、連結従動ギヤ１４及び太陽ギヤ２４ｅの歯合状態を示す斜視図である。図１１の（ａ）は、リフレクタ取付体２３、具収容体２４、回転駆動部材２５及び連結従動ギヤ１４の関係を示す分解斜視図である。図１１の（ｂ）は、リフレクタ取付体２３を後側から見た斜視図である。図１２の（ａ）は、カット付レンズ２３ｂ及びリフレクタ２３ａを除いて示すリフレクタ取付体２３、具収容体２４、回転駆動部材２５の構成を示す正面図である。図１２の（ｂ）は、電飾ユニット１０Ａの構成を示す正面図である。図１４の（ａ）は、具収容体２４の構成を示す正面図である。図１４の（ｂ）は、具収容体２４の変形例の構成を示す正面図である。
【００９３】
前述した構成の電飾ユニット１０Ａにおけるリフレクタ取付体２３及び具収容体２４の回転動作について、図１０、図１１の（ａ）（ｂ）、図１２の（ａ）（ｂ）及び図１３の（ａ）（ｂ）に基づいて説明する。
【００９４】
図１０に示すように、モータ１５の軸に接合されたモータ駆動ギヤ１５ａは、連結従動ギヤ１４に歯合されており、かつ連結従動ギヤ１４と太陽ギヤ２４ｅとは、同軸にて一体に固定されている。この結果、モータ駆動ギヤ１５ａが回転すると連結従動ギヤ１４を介して具収容体２４の太陽ギヤ２４ｅが回転する。
【００９５】
図１２の（ａ）に示すように、具収容体２４の太陽ギヤ２４ｅは遊星ギヤ２５ｃに歯合され、遊星ギヤ２５ｃは図１１の（ｂ）にも示すリフレクタ取付体２３の内歯ギヤ２３ｃに歯合されている。
【００９６】
この結果、図１１の（ａ）及び図１２の（ａ）に示すように、前記モータ駆動ギヤ１５ａが回転すると、前記連結従動ギヤ１４を介して具収容体２４及び太陽ギヤ２４ｅが例えば反時計回りに回転する。このとき、太陽ギヤ２４ｅに歯合する遊星ギヤ２５ｃは時計回りに回転すると共に、遊星ギヤ２５ｃに歯合されるリフレクタ取付体２３の内歯ギヤ２３ｃは、遊星ギヤ２５ｃと同様に時計回りに回転する。
【００９７】
図１２の（ｂ）に示すように、その結果、電飾ユニット１０Ａの正面から見た場合には、中心部の奥に見える具収容体２４は反時計回りに回転すると共に、リフレクタ取付体２３のカット付レンズ２３ｂ等は時計回りに回転する。したがって、２つの回転体が同時に正反対に回転するので、特異な演出効果を与える。
【００９８】
特に、本実施の形態の電飾ユニット１０Ａでは、図１３の（ａ）に示すように、具収容体２４が回転することによって、複数のビーズからなる具２４ｂが具持ち上げ仕切り２４ｄ１によって持ち上げられると共に、具２４ｂが上側まで持ち上げられると、具持ち上げ仕切り２４ｄ１と具持ち上げ仕切り２４ｄ１との隙間から具２４ｂが自由落下する。これにより、具収容体２４の回転により、具２４ｂが具収容体２４の内部に封入された状態でランダム状態で自由に落下移動する。この落下動作が、三角筒を集めたリフレクタ２３ａに映るので、万華鏡のような表示が演出されるようになる。
【００９９】
尚、本実施の形態の具持ち上げ仕切り２４ｄ１の形状は、図１４の（ａ）に示すように、Ｔ字形状となっている。しかし、必ずしもこれに限らず、例えば、図１４の（ｂ）に示すように、Ｖ字形状となっていてもよい。或いは、Ｌ字形状又はＩ字形状となっていてもよい。これらによっても、下側に落下した具２４ｂを上側に持ち上げると共に、できるだけ上側で具２４ｂを落下させることができるためである。尚、演出的には、なるべく上側で具２４ｂを落下させることが好ましいので、Ｉ字形状つまり平板状よりは回転方向に伴って具２４ｂを引っ掛ける折曲部分があることが好ましい。また、具持ち上げ仕切り２４ｄ１の折曲部分の根元側は、平板ではなく曲面板であってもよい。
【０１００】
尚、本実施の形態では、導光レンズ２１が正面に見えるように電飾ユニット１０Ａをスロットマシン１に設置することによって、具収容体２４が回転したときに、複数のビーズからなる具２４ｂが具持ち上げ仕切り２４ｄ１によって持ち上げられて自由落下するという効果が出る。しかし、本発明の一態様における電飾ユニット１０Ａでは、導光レンズ２１が正面に見えるように電飾ユニット１０Ａをスロットマシン１に設置する必要は必ずしもない。例えば、具入れケース２４ｄの底面を中心部が低くなる凹面に形成しておき、具収容体２４の回転により中心に集まった具２４ｂを外周側に吹き飛ばす構成にしておくことが可能である。このような構成によっても、導光レンズ２１が上面を向く状態であっても、具２４ｂの落下移動を行わせることが可能である。
【０１０１】
また、具入れケース２４ｄの底面が平面であっても、例えば、具入れケース２４ｄを振動させることによって、具２４ｂを具入れケース２４ｄの内部で移動させることが可能である。
【０１０２】
また、本実施の形態では、モータ１５の回転速度を変更することが可能となっている。これにより、具収容体２４の回転速度を変更して、回転速度の速さによる電飾効果を持たせることが可能となる。
【０１０３】
さらに、遊星ギヤ２５ｃの種類によって、具収容体２４の回転速度とリフレクタ２３ａの回転速度とに変化を付けることも可能である。
【０１０４】
このように、本実施の形態の電飾ユニット１０Ａは、光源としての具収容体用ＬＥＤ１３とを備えている。また、封入ケースとしての具入れケース２４ｄ、及び具入れケース２４ｄの内部に封入され、かつ具収容体用ＬＥＤ１３からの光を反射する光反射部材としての具２４ｂを有し、さらに、回転軸Ｐを中心に回転する光反射部材封入部としての具収容体２４を備えている。また、具収容体２４を、回転軸Ｐを中心に回転させる回転駆動部としてのモータ１５、モータ駆動ギヤ１５ａ及び連結従動ギヤ１４を備えている。
【０１０５】
前記構成によれば、モータ１５、モータ駆動ギヤ１５ａ及び連結従動ギヤ１４によって、具収容体２４が回転軸Ｐを中心に回転する。このため、具２４ｂは、回転する具収容体２４の具入れケース２４ｄの内部で、具収容体用ＬＥＤ１３からの光を反射する。この結果、遊技者は、回転しながら光る具２４ｂを観察することができる。このような回転しながら光る具２４ｂを観察することは、この種の電飾においてはあまり見られない光景である。すなわち、本実施の形態における電飾ユニット１０Ａでは、具２４ｂが回転することにより、反射光の反射方向が変化し、きらきらと光った状態となる。
【０１０６】
したがって、特異な電飾演出効果を有する電飾ユニット１０Ａを提供することができる。
【０１０７】
また、本実施の形態における電飾ユニット１０Ａでは、具２４ｂは、大きさ、形状、色彩等の異なるものが使用される。すなわち、具２４ｂの大きさ、形状及び色彩を変更すれば、リフレクタ２３ａに映り込む演出も異なる。このため、コストを抑えながら新しいバリエーションを取り入れることが可能となる。
【０１０８】
本実施の形態における電飾ユニット１０Ａでは、具２４ｂは、具入れケース２４ｄの内部で移動可能に封入されている。
【０１０９】
これにより、具収容体２４の回転に伴って、具２４ｂが具入れケース２４ｄの内部で移動する。そして、具２４ｂの移動に際して、具２４ｂは具収容体用ＬＥＤ１３からの光を反射する。この結果、遊技者は、移動しながら光る具２４ｂを観察することができる。このような移動しながら光る具２４ｂを観察することは、この種の電飾においてはあまり見られない光景である。すなわち、本実施の形態における電飾ユニット１０Ａでは、例えば、雪や花びらが落ちてくるような光景を目にすることができる。このため、遊技者に対して、期待感や高揚感を与える演出動作が可能となる。したがって、さらに特異な電飾演出効果を有する電飾ユニット１０Ａを提供することができる。
【０１１０】
また、本実施の形態における電飾ユニット１０Ａは、具収容体２４の遊技者側には、内壁面２３ａ１を反射面で形成した断面多角形の筒状体としてのリフレクタ２３ａを備えている。これにより、具収容体２４の回転により具入れケース２４ｄの内部で移動する具２４ｂが、断面多角形のリフレクタ２３ａにおける反射面からなる内壁面２３ａ１に鏡像として写し出される。この結果、遊技者は、万華鏡を覗いているような光景を目にすることができる。したがって、さらに特異な電飾演出効果を有する電飾ユニット１０Ａを提供することができる。
【０１１１】
また、本実施の形態における電飾ユニット１０Ａでは、断面六角形のリフレクタ２３ａは、該断面六角形の各頂点と中心とを結びかつ遊技者側に延びる仕切り壁２３ａ２を備えている。そして、仕切り壁２３ａ２の表面は反射面で形成されている。これにより、鏡面数が増加するので、多重の万華鏡によるさらに複雑な演出を行うことできる。
【０１１２】
また、本実施の形態における電飾ユニット１０Ａでは、リフレクタ２３ａの内壁面２３ａ１及び仕切り壁２３ａ２は、遊技者側に向かうに伴って開口部が大きくなる傾斜面を有している。この結果、実際の奥行きが浅くても、透視図を見るように、人間の目には遠近感が出る。したがって、電飾ユニット１０Ａを遠くから見ても、遊技者は万華鏡の演出効果を楽しむことができる。
【０１１３】
また、本実施の形態における電飾ユニット１０Ａは、図１４の（ａ）（ｂ）に示すように、前側から順に、リフレクタ２３ａ、具収容体２４及び具収容体用ＬＥＤ１３が設けられている。これにより、具収容体用ＬＥＤ１３の照明光が具収容体２４を透過し、その透過光が断面多角形からなるリフレクタ２３ａの内壁面２３ａ１に鏡像として多重に映し出される。したがって、確実に、特異な電飾演出効果を有する電飾ユニット１０Ａを提供することができる。
【０１１４】
本実施の形態における電飾ユニット１０Ａは、リフレクタ２３ａを回転させる筒状体回転駆動部を備えている。これにより、リフレクタ２３ａが回転するので、断面多角形のリフレクタ２３ａにおける反射面からなる内壁面２３ａ１に写し出される具２４ｂの移動による鏡像も変化する。したがって、さらに特異な電飾演出効果を有する電飾ユニット１０Ａを提供することができる。
【０１１５】
また、本実施の形態における電飾ユニット１０Ａでは、筒状体回転駆動部は、具収容体２４の回転に伴ってリフレクタ２３ａを該具収容体２４の回転方向とは反対側に回転させる。これにより、具収容体２４の回転方向とリフレクタ２３ａとの回転方向が互いに正反対となる。したがって、さらに特異な電飾演出効果を有する電飾ユニット１０Ａを提供することができる。
【０１１６】
また、本実施の形態における電飾ユニット１０Ａでは、筒状体回転駆動部は、具収容体２４の回転に伴って回転する遊星ギヤ２５ｃと、遊星ギヤ２５ｃに歯合されかつリフレクタ２３ａに一体に形成された内歯ギヤ２３ｃとを備えている。これにより、具収容体２４の回転に伴って遊星ギヤ２５ｃが回転し、遊星ギヤ２５ｃの回転に伴って、遊星ギヤ２５ｃに歯合された内歯ギヤ２３ｃが回転する。そして、内歯ギヤ２３ｃはリフレクタ２３ａと一体となっているので、リフレクタ２３ａが回転する。この結果、筒状体回転駆動部の具体的な構成を提供することができる。
【０１１７】
また、本実施の形態の電飾ユニット１０Ａでは、図１１の（ｂ）に示すように、内歯ギヤ２３ｃには、断面多角形のリフレクタ２３ａの初期位置を検出するためのスリット２３ｄが形成されている。このため、スリット２３ｄによって、断面多角形のリフレクタ２３ａの初期位置を検出することができる。
【０１１８】
具体的には、スリット２３ｄは、リフレクタ取付体２３の後側の外周端部において、等間隔に６か所に設けられている。そして、６か所のスリット２３ｄは、リフレクタ２３ａの六角筒の断面正六角形の各頂点の位置に対応して形成されている。
【０１１９】
一方、回路基板２６には、回転位置検出センサ２６ｂが設けられている。この回転位置検出センサ２６ｂは、発光部と受光部とからなっており、発光部から受光部に向けて光が照射されている。この発光部と受光部との間には、リフレクタ取付体２３の後側の外周端が挿入されている。このため、リフレクタ取付体２３の後側の外周端の凸部が発光部と受光部との間に位置しているときには、発光部から受光部に向けた光が遮蔽されている。しかし、リフレクタ取付体２３の後側の外周端のスリット２３ｄが発光部と受光部との間に位置しているときには、発光部から受光部に向けた光が透過される。したがって、回転位置検出センサ２６ｂによって、リフレクタ２３ａの初期位置を検出することができる。
【０１２０】
尚、前述したように、６か所のスリット２３ｄは、リフレクタ２３ａの六角筒の断面六角形の各頂点の位置に対応して形成されているので、いずれかのスリット２３ｄの位置が初期位置となる。これにより、リフレクタ２３ａの停止位置において、例えば、互いに対向する一対の外周辺を水平となる状態に停止させることができる。この結果、例えば、毎回、リフレクタ２３ａを初期位置から回転開始させ、初期位置にて回転停止させることが可能となる。
【０１２１】
ここで、前述したように、本実施の形態では、少ない回転数で初期位置を検出するために、スリット２３ｄは、リフレクタ２３ａの六角筒の断面正六角形の各頂点の位置に対応して６か所に形成されている。しかし、本発明の一態様においては、初期位置に回転停止させるには、必ずしもこれに限らず、１か所に形成することも可能である。
【０１２２】
また、本実施の形態における電飾ユニット１０Ａは、具収容体２４の具入れケース２４ｄには、具収容体２４の回転軸Ｐを水平にした状態で、該具収容体２４を回転軸Ｐの回りに回転させた場合に、具２４ｂを上側に持ち上げ、かつ上側で該具２４ｂを自重で落下させる仕切り部材としての具持ち上げ仕切り２４ｄ１が設けられている。これにより、具収容体２４の回転によって、具入れケース２４ｄに封入された具２４ｂは、具持ち上げ仕切り２４ｄ１によって上側に持ち上げられ、上側で落下させられる。このため、具収容体２４の回転によって、具２４ｂが強制的に落下移動する。したがって、遊技者は、絶えず動きながら光る具２４ｂを観察することができる。
【０１２３】
また、本実施の形態における電飾ユニット１０Ａでは、具収容体２４の具入れケース２４ｄには、色彩及び模様の少なくとも一方を付したデザインシート２４ｃが設けられている。これにより、デザインシート２４ｃの色彩及び模様が具２４ｂに反射されるので、デザインシート２４ｃの色彩や模様がリフレクタ２３ａに鏡像として映る。このため、遊技者は、移動する具２４ｂにて反射されるデザインシート２４ｃの色彩及び模様を目にすることができる。したがって、さらに特異な電飾演出効果を有する電飾ユニット１０Ａを提供することができる。
【０１２４】
また、本実施の形態における電飾ユニット１０Ａでは、断面多角形のリフレクタ２３ａの周囲には、カット付レンズ２３ｂが設けられている。これにより、カット付レンズ用ＬＥＤ２７がカット付レンズ２３ｂの内部を照らしているので、その光が、カット付レンズ２３ｂを通して遊技者側に照射される。カット付レンズ２３ｂは、例えば、ダイヤモンドのカットのように、種々の方向へ光を散乱させる。したがって、さらに特異な電飾演出効果を有する電飾ユニット１０Ａを提供することができる。
【０１２５】
また、本実施の形態おける遊技機としてのスロットマシン１は、電飾ユニット１０Ａを備えている。これにより、特異な電飾演出効果を有する電飾ユニット１０Ａを備えたスロットマシン１を提供することができる。
【０１２６】
〔実施の形態２〕
本発明の他の実施の形態について図１５及び図１６に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【０１２７】
本実施の形態の電飾ユニット１０Ｂは、前記実施の形態１の電飾ユニット１０Ａの構成に加えて、導光レンズ２１を備えている点が異なっている。
【０１２８】
図１５の（ａ）は、本実施の形態における電飾ユニット１０Ｂの構成を示す正面図である。図１５の（ｂ）は、電飾ユニット１０Ｂの構成を示す断面図である。図１６の（ａ）は、電飾ユニット１０Ｂにおける導光レンズ２１の左右の端部に設けられた導光部材照射用光源を点灯することによって表示される導光レンズ２１の表示状態を示す正面図である。図１６の（ｂ）は、電飾ユニット１０Ｂにおける導光レンズ２１の上下の端部に設けられた導光部材照射用光源を点灯することによって表示される導光レンズ２１の表示状態を示す正面図である。図１６の（ｃ）は、電飾ユニット１０Ｂにおける導光レンズ２１の左右の端部に設けられた導光部材照射用光源と、導光レンズ２１の上下の端部に設けられた導光部材照射用光源とを同時に点灯することによって表示される導光レンズ２１の表示状態を示す正面図である。
【０１２９】
本実施の形態における電飾ユニット１０Ｂの構成について、図１５の（ａ）（ｂ）に基づいて説明する。
【０１３０】
図１５の（ａ）（ｂ）に示すように、本実施の形態の電飾ユニット１０Ｂでは、光反射部材封入部としての具収容体２４の遊技者側には、半球面状の導光部材としての導光レンズ２１が設けられている。また、導光レンズ２１の端部には、導光部材照射用光源としての導光レンズ用ＬＥＤ１６が設けられている。このため、導光レンズ用ＬＥＤ１６から出射された光は、導光レンズ２１の端部に入射され、かつ該導光レンズ２１の内部を導光されて半球面状の出射面から遊技者側に出射されるようになっている。この結果、導光レンズ２１を用いた演出を行うことができる。したがって、さらに特異な電飾演出効果を有する電飾ユニット１０Ｂを提供することができる。
【０１３１】
また、本実施の形態における電飾ユニット１０Ｂでは、導光レンズ用ＬＥＤ１６は、半球面状の導光レンズ２１における半球面を正面にして見た場合における、該導光レンズ２１の左右の端部に設けられた左右導光レンズ用ＬＥＤ１６ａと該導光レンズ２１の上下の端部に設けられた上下導光レンズ用ＬＥＤ１６ｂとからなっている。
【０１３２】
そして、前記導光レンズ２１の半球面には、左右の端部に設けられた左右導光レンズ用ＬＥＤ１６ａから入射された光を導光して出射面に出射させる図示しない左右光源用光路変更部と、上下の端部に設けられた上下導光レンズ用ＬＥＤ１６ｂから入射された光を導光して出射面に出射させる図示しない上下光源用光路変更部とが形成されている。左右光源用光路変更部及び上下光源用光路変更部は、例えば、導光レンズ２１の後側に形成した複数のプリズム群からなっている。この複数のプリズム群は、左右光源用光路と上下光源用光路とによって、光の屈折方向が互いに異なって形成されている。尚、例えば、左右導光レンズ用ＬＥＤ１６ａのみの一方向の光源のみが設けられている場合には、左右光源用光路変更部は印刷ドットパターンにて形成することも可能である。
【０１３３】
図１６の（ａ）に示すように、これにより、左右の端部に設けられた左右導光レンズ用ＬＥＤ１６ａを点灯すると、その光は導光レンズ２１において全反射によって導光され、左右光源用光路変更部にて全反射条件が破れて半球面の出射面から遊技者側に出射される。
【０１３４】
図１６の（ｂ）に示すように、一方、上下の端部に設けられた上下導光レンズ用ＬＥＤ１６ｂを点灯すると、その光は導光レンズ２１において全反射によって導光され、上下光源用光路変更部にて全反射条件が破れて半球面の出射面から遊技者側に出射される。
【０１３５】
図１６の（ｃ）に示すように、さらに、左右導光レンズ用ＬＥＤ１６ａと上下導光レンズ用ＬＥＤ１６ｂとを同時に点灯すると、左右光源用光路変更部による出射光と上下光源用光路変更部による出射光との両方が出射される。
【０１３６】
この結果、本実施の形態における電飾ユニット１０Ｂでは、左右光源用光路変更部と上下光源用光路変更部とを互いに異ならせることによって、別の表示を行うことができる。また、左右の端部に設けられた左右導光レンズ用ＬＥＤ１６ａと上下の端部に設けられた上下導光レンズ用ＬＥＤ１６ｂとを同時に点灯することによって、左右光源用光路変更部と上下光源用光路変更部との両方の表示を同時に行うことができる。
【０１３７】
したがって、さらに特異な電飾演出効果を有する電飾ユニット１０Ｂを提供することができる。
【０１３８】
尚、本実施の形態の左右導光レンズ用ＬＥＤ１６ａ及び上下導光レンズ用ＬＥＤ１６ｂは、導光レンズ２１の端部において、導光レンズ２１の外形よりもはみ出すようにして設けられている。この結果、左右導光レンズ用ＬＥＤ１６ａ及び上下導光レンズ用ＬＥＤ１６ｂの出射光は導光レンズ２１の端部に入射されると共に、導光レンズ２１の側面から見えることになる。したがって、本実施の形態の電飾ユニット１０Ｂは、その構成によっても、豊かな電飾効果を奏するものとなっている。
【０１３９】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１４０】
１            スロットマシン
１０Ａ・１０Ｂ  電飾ユニット
１１            本体ケース部
１１ａ          本体ケース部底
１３            具収容体用ＬＥＤ（光源）
１４            連結従動ギヤ（回転駆動部）
１５            モータ（回転駆動部）
１５ａ          モータ駆動ギヤ（回転駆動部）
１６            導光レンズ用ＬＥＤ（導光部材照射用光源）
１６ａ          左右導光レンズ用ＬＥＤ（導光部材照射用光源）
１６ｂ          上下導光レンズ用ＬＥＤ（導光部材照射用光源）
２０            内部組立体
２１            導光レンズ（導光部材）
２２            ストッパー
２３            リフレクタ取付体
２３ａ          リフレクタ（筒状体）
２３ａ１        内壁面
２３ａ２        仕切り壁
２３ｂ          カット付レンズ
２３ｃ          内歯ギヤ（筒状体回転駆動部）
２３ｄ          スリット
２４            具収容体（光反射部材封入部）
２４ａ          ケース蓋
２４ｂ          具（光反射部材）
２４ｃ          デザインシート
２４ｃ１        シート溝
２４ｄ          具入れケース（封入ケース）
２４ｄ１        具持ち上げ仕切り（仕切り部材）
２４ｄ２        ギヤ軸
２４ｅ          太陽ギヤ
２５            回転駆動部材
２５ａ          有底円筒部
２５ｂ          遊星ギヤシャフト
２５ｃ          遊星ギヤ（筒状体回転駆動部）
２６            回路基板
２６ｂ          回転位置検出センサ
２７            カット付レンズ用ＬＥＤ
【図１】
2018175243.tif 000003
【図２】
2018175243.tif 000004
【図３】
2018175243.tif 000005
【図４】
2018175243.tif 000006
【図５】
2018175243.tif 000007
【図６】
2018175243.tif 000008
【図７】
2018175243.tif 000009
【図８】
2018175243.tif 000010
【図９】
2018175243.tif 000011
【図１０】
2018175243.tif 000012
【図１１】
2018175243.tif 000013
【図１２】
2018175243.tif 000014
【図１３】
2018175243.tif 000015
【図１４】
2018175243.tif 000016
【図１５】
2018175243.tif 000017
【図１６】
2018175243.tif 000018